(57)【要約】【解決手段】基端側把持面１１と中間把持面１３との間の基端側境界部１４と、先端側把持面１２と中間把持面１３との間の先端側境界部１５とを結ぶ想定平面よりも、中間把持面１３を凹ませている。両把持部３の先端側境界部１５間における開閉方向Ｘの間隔は、両把持部３の基端側境界部１４間や両把持部３の中間把持面１３間や両把持部３の先端側把持面１２間や両把持部３の先端部３ｂ間における開閉方向Ｘの間隔よりも、両把持部３の開状態及び閉状態に関係なく常に、大きく設定されている。先端側境界部１５と両把持部３の先端部３ｂとを結ぶ想定平面よりも、先端側把持面１２を凹ませている。基端側側面１７と中間側面１９との間の基端側境界部１４と、両把持部３の先端部３ｂとを結ぶ想定平面よりも、中間側面１９及び先端側側面１８を凹ませている。【効果】両把持部３の開閉動作が行い易くなる。【選択図】図１
2004129845.tif 000002
【特許請求の範囲】
【請求項１】
基端部から延設した両把持部を有する握り柄と、この両把持部の先端部から延設した刃体とを備え、この両把持部の弾性力によりこの両刃体が両把持部とともに互いに開き、この両把持部の弾性力に抗してこの両刃体を両把持部とともに互いに閉じる握り鋏において、
前記握り柄の両把持部のうち開閉方向の両側でその開閉方向を含む面に対し直交する幅方向の把持面を、両把持部の基端部から延びる基端側把持面と、両把持部の先端部から延びる先端側把持面と、この基端側把持面と先端側把持面との間で延びる中間把持面とに区画した場合、基端側把持面と中間把持面との間の基端側境界部と、先端側把持面と中間把持面との間の先端側境界部とを結ぶ想定平面よりも、中間把持面を凹ませ、
両把持部の先端側境界部間における開閉方向の間隔は、両把持部の基端側境界部間における開閉方向の間隔や、両把持部の中間把持面間における開閉方向の間隔や、両把持部の先端側把持面間における開閉方向の間隔や、両把持部の先端部間における開閉方向の間隔よりも、両把持部の開状態及び閉状態に関係なく常に、大きく設定されていることを特徴とする握り鋏。
【請求項２】
基端部から延設した両把持部を有する握り柄と、この両把持部の先端部から延設した刃体とを備え、この両把持部の弾性力によりこの両刃体が両把持部とともに互いに開き、この両把持部の弾性力に抗してこの両刃体を両把持部とともに互いに閉じる握り鋏において、
前記握り柄の両把持部のうち開閉方向の両側でその開閉方向を含む面に対し直交する幅方向の把持面を、両把持部の基端部から延びる基端側把持面と、両把持部の先端部から延びる先端側把持面と、この基端側把持面と先端側把持面との間で延びる中間把持面とに区画した場合、基端側把持面と中間把持面との間の基端側境界部と、先端側把持面と中間把持面との間の先端側境界部とを結ぶ想定平面よりも、中間把持面を凹ませ、
先端側境界部と両把持部の先端部とを結ぶ想定平面よりも先端側把持面を凹ませたことを特徴とする握り鋏。
【請求項３】
基端部から延設した両把持部を有する握り柄と、この両把持部の先端部から延設した刃体とを備え、この両把持部の弾性力によりこの両刃体が両把持部とともに互いに開き、この両把持部の弾性力に抗してこの両刃体を両把持部とともに互いに閉じる握り鋏において、
前記握り柄の両把持部のうち開閉方向の両側でその開閉方向を含む面に対し直交する幅方向の把持面を、両把持部の基端部から延びる基端側把持面と、両把持部の先端部から延びる先端側把持面と、この基端側把持面と先端側把持面との間で延びる中間把持面とに区画した場合、基端側把持面と中間把持面との間の基端側境界部と、先端側把持面と中間把持面との間の先端側境界部とを結ぶ想定平面よりも、中間把持面を凹ませ、
前記握り柄の両把持部のうち幅方向の両側で開閉方向の側面を、前記基端側把持面を挟む基端側側面と、前記中間把持面を挟む中間側面と、前記先端側把持面を挟む先端側側面とに区画した場合、基端側側面と中間側面との間の基端側境界部と、把持部の先端部または先端側側面上の頂部とを結ぶ想定平面よりも、中間側面及び先端側側面を凹ませたことを特徴とする握り鋏。
【請求項４】
前記両把持部の先端側境界部間における開閉方向の間隔は、両把持部の先端部間における開閉方向の間隔よりも、両把持部の開状態及び閉状態に関係なく常に、大きく設定されていることを特徴とする請求項２に記載の握り鋏。
【請求項５】
前記両把持部の基端側把持面間における開閉方向の最大間隔を、両把持部の基端側境界部間における開閉方向の間隔や、両把持部の基端部間における開閉方向の間隔と比較して、両把持部の開状態及び閉状態に関係なく常に、大きく設定して基端側把持面を膨らませるか、または等しく設定したことを特徴とする請求項１または請求項２または請求項４に記載の握り鋏。
【請求項６】
前記基端側境界部における幅方向の幅寸法よりも、前記中間把持面における幅方向の幅寸法と、前記先端側境界部における幅方向の幅寸法とを小さく設定するとともに、この中間把持面における幅方向の幅寸法を、この先端側境界部における幅方向の幅寸法と比較して、大きく設定して中間側面を膨らませるか、または小さく設定して中間側面を凹ませるか、または等しく設定し、
前記先端側把持面における幅方向の幅寸法を、前記先端側境界部における幅方向の幅寸法と比較して、等しく設定するか、または大きく設定して先端側側面を膨らませるか、または小さく設定して先端側側面を凹ませた
ことを特徴とする請求項３に記載の握り鋏。
【請求項７】
前記基端側把持面における幅方向の幅寸法を、前記基端側境界部における幅方向の幅寸法や、両把持部の基端部における幅方向の幅寸法と比較して、大きく設定して基端側側面を膨らませるか、または等しく設定したことを特徴とする請求項３または請求項６に記載の握り鋏。
【請求項８】
前記握り柄の両把持部は、前記刃体に取着された内側樹脂部と、この内側樹脂部における開閉方向の両外側に取着された外側樹脂部とを備え、この両把持部の外側樹脂部は両把持部の基端部で互いに一体に連続するとともに、この両把持部の内側樹脂部は両把持部の基端部で互いに一体に連続してこの外側樹脂部の内側で露出し、前記両把持部の把持面及び側面はこの外側樹脂部の表面に設けられ、この外側樹脂部の表面硬度はこの内側樹脂部の表面硬度よりも小さく設定されていることを特徴とする請求項１から請求項７のうちいずれかの請求項に記載の握り鋏。
【発明の詳細な説明】
【０００１】
【発明の属する技術分野】
本発明は、握り鋏において握り柄の外形状の改良に関するものである。
【０００２】
【従来の技術】
特許文献１にかかる握り鋏は、基端部から延設された両把持部（同公報の握り部２に該当）を有する握り柄（同公報の柄１に該当）と、この両把持部の先端部から延設された刃体（同公報の刃体７に該当）とを備えている。この両把持部の弾性力によりこの両刃体が両把持部とともに互いに開き、この両把持部の弾性力に抗してこの両刃体を両把持部とともに互いに閉じることができる。この両把持部には、開閉方向の両側でその開閉方向を含む面に対し直交する幅方向の把持面（同公報の滑り止め凹部９や指当て部１０を有する面の全体）が形成されている。この把持面は、両把持部の基端部から延びる基端側把持面（同公報の指当て部１０よりも基端側にある面）と、両把持部の先端部から延びる先端側把持面（同公報の指当て部１０よりも先端側にある面）と、この基端側把持面と先端側把持面との間で延びる中間把持面とに区画されている。この中間把持面（同公報の指当て部１０に該当）は、基端側把持面と中間把持面との間の基端側境界部と、先端側把持面と中間把持面との間の先端側境界部とを結ぶ想定平面よりも、凹んでいる。また、前記両把持部には、幅方向の両側で開閉方向の側面が形成されている。この側面は、前記基端側把持面を挟む基端側側面と、前記中間把持面を挟む中間側面と、前記先端側把持面を挟む先端側側面とに区画されている。
【０００３】
使用時には、両把持部を手の平により包み込んで親指と人差し指とを先端側把持面に当てがった状態で、中指を中間把持面に当てがう。
【０００４】
【特許文献１】
特開昭５７−１９５４８３号公報
【特許文献２】
実開昭５７−１４０２６３号公報
【特許文献３】
特開平１０−３３８４８号公報
【０００５】
【発明が解決しようとする課題】
上記特許文献１にかかる握り鋏は、下記＊の問題点がある。
＊　両把持部の先端側境界部間における開閉方向の間隔は、両把持部が開状態から閉状態になると、両把持部の基端側境界部間における開閉方向の間隔よりも小さくなる。そのため、両把持部の中間把持面（同公報の指当て部１０に該当）を凹ませても、両把持部の中間把持面間における開閉方向の間隔が基端側境界部側から先端側境界部側へ向かうに従い狭まり、先端側境界部が中間把持面から突出したストッパとしての機能を十分に果たすことができない。従って、中指が中間把持面から先端側境界部側へ滑り易くなって両把持部の開閉動作が行いにくくなる。
【０００６】
＊　両把持部の先端側把持面が平坦な形状に形成されているので、親指及び人差し指で丸みのある腹側をこの先端側把持面に対し確実に当てがうことが難しくなるとともに、親指及び人差し指がこの先端側把持面から先端側境界部側や先端部側へ滑り易くなって、両把持部の開閉動作が行いにくくなる。
【０００７】
＊　両把持部の先端側側面は、両把持部の先端側把持面における幅方向の幅寸法が先端側境界部側から両把持部の先端部側へ向かうに従い次第に狭くなる平坦な形状に形成されている。また、両把持部の中間側面は、互いに平行に形成されて平坦な形状になっている。しかし、両把持部を手の平により包み込んで親指と人差し指とを先端側把持面に当てがった状態で、中間側面及び先端側側面の膨らみが残り、人差し指を先端側把持面や先端側側面に当てがいにくくなるとともに、中指を中間把持面や中間側面に当てがいにくくなる。従って、両把持部の開閉動作が行いにくくなる。
【０００８】
なお、前記特許文献２や特許文献３も参照されたい。
この発明は、握り鋏において握り柄の外形状を改良して両把持部の開閉動作を行い易くすることを目的としている。
【０００９】
【課題を解決するための手段及び発明の効果】
後記実施形態の図面（図１〜６）の符号を援用して本発明を説明する。
＊　請求項１〜３の発明
請求項１〜３の発明にかかる握り鋏は、下記の共通構成を有している。
【００１０】
この握り鋏においては、基端部（３ａ）から延設した両把持部（３）を有する握り柄（１）と、この両把持部（３）の先端部（３ｂ）から延設した刃体（２）とを備え、この両把持部（３）の弾性力によりこの両刃体（２）が両把持部（３）とともに互いに開き、この両把持部（３）の弾性力に抗してこの両刃体（２）を両把持部（３）とともに互いに閉じることができる。前記握り柄（１）の両把持部（３）のうち開閉方向（Ｘ）の両側でその開閉方向（Ｘ）を含む面（Ｐ）に対し直交する幅方向（Ｙ）の把持面（１０）を、両把持部（３）の基端部（３ａ）から延びる基端側把持面（１１）と、両把持部（３）の先端部（３ｂ）から延びる先端側把持面（１２）と、この基端側把持面（１１）と先端側把持面（１２）との間で延びる中間把持面（１３）とに区画した場合、基端側把持面（１１）と中間把持面（１３）との間の基端側境界部（１４）と、先端側把持面（１２）と中間把持面（１３）との間の先端側境界部（１５）とを結ぶ想定平面（Ａ）よりも、中間把持面（１３）を凹ませている。なお、基端側境界部（１４）とは、任意性はあるが、基端側把持面（１１）がなす外形線と中間把持面（１３）がなす外形線とが互いに連続する変曲点または頂部または角部の付近などをいう。同じく、先端側境界部（１５）も、任意性はあるが、先端側把持面（１２）がなす外形線と中間把持面（１３）がなす外形線とが互いに連続する変曲点または頂部または角部の付近などをいう。
【００１１】
この請求項１〜３の発明では、いずれも、両把持部（３）を手の平（２０）により包み込んで親指（２１）と人差し指（２２）とを先端側把持面（１２）に当てがった状態で、中指（２３）を前記中間把持面（１３）に当てがった場合、この中間把持面（１３）を凹ませているので、中指（２３）で丸みのある腹側がこの中間把持面（１３）に沿って確実に当てがわれるとともに、中指（２３）がこの中間把持面（１３）から先端側境界部（１５）側へ滑りにくくなる。従って、両把持部（３）の開閉動作が行い易くなる。
【００１２】
さらに、請求項１の発明では、両把持部（３）の先端側境界部（１５）間における開閉方向（Ｘ）の間隔（Ｌ１５）は、両把持部（３）の基端側境界部（１４）間における開閉方向（Ｘ）の間隔（Ｌ１４）や、両把持部（３）の中間把持面（１３）間における開閉方向（Ｘ）の間隔（Ｌ１３）や、両把持部（３）の先端側把持面（１２）間における開閉方向（Ｘ）の間隔（Ｌ１２）や、両把持部（３）の先端部（３ｂ）間における開閉方向（Ｘ）の間隔（Ｌ３ｂ）よりも、両把持部（３）の開状態及び閉状態に関係なく常に、大きく設定されている。
【００１３】
この請求項１の発明では、先端側境界部（１５）が中間把持面（１３）から突出したストッパとしての機能を両把持部（３）の開状態及び閉状態に関係なく常に果たし、中指（２３）が中間把持面（１３）から先端側境界部（１５）側へより一層滑りにくくなって両把持部（３）の開閉動作が行い易くなる。
【００１４】
さらに、請求項２の発明では先端側境界部（１５）と両把持部（３）の先端部（３ｂ）とを結ぶ想定平面（Ｂ）よりも先端側把持面（１２）を凹ませている。
この請求項２の発明では、先端側把持面（１２）を凹ませているので、親指（２１）及び人差し指（２２）で丸みのある腹側がこの先端側把持面（１２）に沿って確実に当てがわれるとともに、親指（２１）及び人差し指（２２）がこの先端側把持面（１２）から先端側境界部（１５）側や先端部（３ｂ）側へ滑りにくくなる。従って、両把持部（３）の開閉動作がより一層行い易くなる。
【００１５】
さらに、請求項３の発明では、前記握り柄（１）の両把持部（３）のうち幅方向（Ｙ）の両側で開閉方向（Ｘ）の側面（１６）を、前記基端側把持面（１１）を挟む基端側側面（１７）と、前記中間把持面（１３）を挟む中間側面（１９）と、前記先端側把持面（１２）を挟む先端側側面（１８）とに区画した場合、基端側側面（１７）と中間側面（１９）との間の基端側境界部（１４）と、把持部（３）の先端部（３ｂ）または先端側側面（１８）上の頂部（１８ａ）とを結ぶ想定平面（Ｄ）よりも、中間側面（１９）及び先端側側面（１８）を凹ませている。なお、基端側境界部（１４）とは、任意性はあるが、基端側側面（１７）がなす外形線と中間側面（１９）がなす外形線とが互いに連続する変曲点付近などをいう。また、先端側側面（１８）上の頂部（１８ａ）とは、先端側側面（１８）を外側へ膨らませた場合、最も外側で高い位置にある部分をいう。
【００１６】
この請求項３の発明では、中間側面（１９）及び先端側側面（１８）を凹ませているので、両把持部（３）を手の平（２０）により包み込んで親指（２１）と人差し指（２２）とを先端側把持面（１２）に当てがった状態で、中間側面（１９）及び先端側側面（１８）の膨らみがなくなり、人差し指（２１）を先端側把持面（１２）や先端側側面（１８）に当てがい易くなるとともに、中指（２３）を中間把持面（１３）や中間側面（１９）に当てがい易くなる。従って、両把持部（３）の開閉動作がより一層行い易くなる。
【００１７】
＊　請求項４の発明
この発明は、請求項２の発明を前提として下記のように構成されている。
前記両把持部（３）の先端側境界部（１５）間における開閉方向（Ｘ）の間隔（Ｌ１５）は、両把持部（３）の先端部（３ｂ）間における開閉方向（Ｘ）の間隔（Ｌ３ｂ）よりも、両把持部（３）の開状態及び閉状態に関係なく常に、大きく設定されている。
【００１８】
この発明では、先端側境界部（１５）が先端側把持面（１２）から突出したストッパとしての機能を両把持部（３）の開状態及び閉状態に関係なく常に果たし、親指（２１）及び人差し指（２２）が先端側把持面（１２）から先端側境界部（１５）側へより一層滑りにくくなる。また、親指（２１）の腹側の向きが傾斜して親指（２１）の腹側の第一関節の屈曲度が大きくなるとともに、人差し指（２２）の腹側の向きも傾斜し、親指（２１）と人差し指（２２）との間で両把持部（３）の先端側を挟持し易くしかも力が入り易い把持状態となる。従って、両把持部（３）の開閉動作がより一層行い易くなる。
【００１９】
＊　請求項５の発明
この発明は、請求項１または請求項２または請求項４の発明を前提として下記のように構成されている。
【００２０】
前記両把持部（３）の基端側把持面（１１）間における開閉方向（Ｘ）の最大間隔（Ｌ１１）を、両把持部（３）の基端側境界部（１４）間における開閉方向（Ｘ）の間隔（Ｌ１４）や、両把持部（３）の基端部（３ａ）間における開閉方向（Ｘ）の間隔（Ｌ３ａ）と比較して、両把持部（３）の開状態及び閉状態に関係なく常に、大きく設定して基端側把持面（１１）を膨らませるか、または等しく設定している。
【００２１】
この発明では、両把持部（３）を手の平（２０）により安定性良く包み込んで把持し易くなり、両把持部（３）の開閉動作がより一層行い易くなる。
＊　請求項６の発明
この発明は、請求項３の発明を前提として下記のように構成されている。
【００２２】
前記基端側境界部（１４）における幅方向（Ｙ）の幅寸法（Ｗ１４）よりも、前記中間把持面（１３）における幅方向（Ｙ）の幅寸法（Ｗ１３）と、前記先端側境界部（１５）における幅方向（Ｙ）の幅寸法（Ｗ１５）とを小さく設定するとともに、この中間把持面（１３）における幅方向（Ｙ）の幅寸法（Ｗ１３）を、この先端側境界部（１５）における幅方向（Ｙ）の幅寸法（Ｗ１５）と比較して、大きく設定して中間側面（１３）を膨らませるか、または小さく設定して中間側面（１３）を凹ませるか、または等しく設定している。また、前記先端側把持面（１２）における幅方向（Ｙ）の幅寸法（Ｗ１２）を、前記先端側境界部（１５）における幅方向（Ｙ）の幅寸法（Ｗ１５）と比較して、等しく設定するか、または大きく設定して先端側側面（１８）を膨らませるか、または小さく設定して先端側側面（１８）を凹ませている。
【００２３】
この発明では、請求項３の発明の効果をより一層発揮させることができる。
＊　請求項７の発明
この発明は、請求項３または請求項６の発明を前提として下記のように構成されている。
【００２４】
前記基端側把持面（１１）における幅方向（Ｙ）の幅寸法（Ｗ１１）を、前記基端側境界部（１４）における幅方向（Ｙ）の幅寸法（Ｗ１４）や、両把持部（３）の基端部（３ａ）における幅方向（Ｙ）の幅寸法（Ｗ３ａ）と比較して、大きく設定して基端側側面（１７）を膨らませるか、または等しく設定している。
【００２５】
この発明では、両把持部（３）を手の平（２０）により安定性良く包み込んで把持し易くなり、両把持部（３）の開閉動作がより一層行い易くなる。
＊　請求項８の発明
この発明は、請求項１から請求項７のうちいずれかの請求項の発明を前提として下記のように構成されている。
【００２６】
前記握り柄（１）の両把持部（３）は、前記刃体（２）に取着された内側樹脂部（４）と、この内側樹脂部（４）における開閉方向（Ｘ）の両外側に取着された外側樹脂部（５）とを備えている。この両把持部（３）の外側樹脂部（５）は両把持部（３）の基端部（３ａ）で互いに一体に連続するとともに、この両把持部（３）の内側樹脂部（４）は両把持部（３）の基端部（３ａ）で互いに一体に連続してこの外側樹脂部（５）の内側で露出している。前記両把持部（３）の把持面（１０）及び側面（１１）はこの外側樹脂部（５）の表面に設けられている。この外側樹脂部（５）の表面硬度はこの内側樹脂部（４）の表面硬度よりも小さく設定されている。
【００２７】
この発明では、硬質の内側樹脂部（４）により刃体（２）を強固に取着することができるとともに、軟質の外側樹脂部（５）により把持感触が柔らかくなって両把持部（３）の開閉動作がより一層行い易くなる。
【００２８】
＊　第９の発明
この発明は、請求項１または請求項２または請求項４または請求項５の発明を前提として下記のように構成されている。
【００２９】
前記両把持部（３）の基端側境界部（１４）や、両把持部（３）の中間把持面（１３）や、両把持部（３）の先端側把持面（１２）や、両把持部（３）の先端部（３ｂ）は、それぞれ、両把持部（３）の開状態及び閉状態に関係なく常に、前記両把持部（３）の先端側境界部（１５）における開閉方向（Ｘ）の両端部を通る互いに平行な想定平面（Ｃ）間に位置している。この発明では、両把持部（３）を把持し易くなって両把持部（３）の開閉動作がより一層行い易くなる。
【００３０】
＊　第１０の発明
この発明は、第９の発明を前提として下記のように構成されている。
前記両把持部（３）の基端側把持面（１１）は、両把持部（３）の開状態及び閉状態に関係なく常に、前記両把持部（３）の先端側境界部（１５）における開閉方向（Ｘ）の両端部を通る互いに平行な想定平面（Ｃ）間に位置している。この発明では、両把持部（３）を把持し易くなって両把持部（３）の開閉動作がより一層行い易くなる。
【００３１】
＊　第１１の発明
この発明は、請求項３または請求項６または請求項７の発明を前提として下記のように構成されている。
【００３２】
前記中間側面（１９）や、先端側境界部（１５）や、先端側側面（１８）や、両把持部（３）の先端部（３ｂ）は、それぞれ、前記基端側境界部（１４）における幅方向（Ｙ）の両端部を通る互いに平行な想定平面（Ｅ）間に位置している。この発明では、両把持部（３）を把持し易くなって両把持部（３）の開閉動作がより一層行い易くなる。
【００３３】
＊　第１２の発明
この発明は、請求項３または請求項６または請求項７の発明を前提として下記のように構成されている。
【００３４】
前記基端側境界部（１４）や、中間側面（１９）や、先端側境界部（１５）や、先端側側面（１８）や、両把持部（３）の先端部（３ｂ）は、それぞれ、前記基端側把持面（１１）における幅方向（Ｙ）の両端部を通る互いに平行な想定平面（Ｆ）間に位置している。この発明では、両把持部（３）を把持し易くなって両把持部（３）の開閉動作がより一層行い易くなる。
【００３５】
【発明の実施の形態】
以下、本発明の一実施形態にかかる握り鋏について図面を参照して説明する。図１及び図２に示すように、握り鋏は握り柄１と両刃体２とからなる。この握り柄１は、樹脂によりＵ状に成形され、その基端部３ａから二股状に延設された把持部３を有している。この両把持部３は内側樹脂部４と外側樹脂部５とからなり、まず前記両刃体２がインサートされた金型によりこの内側樹脂部４が成形され、次にこの内側樹脂部４がインサートされた金型によりこの外側樹脂部５が成形される。この両把持部３の外側樹脂部５は、両把持部３の基端部３ａで互いに一体に連続して両把持部３の先端部３ｂまで延び、両把持部３の内側樹脂部４の外側に両把持部３の基端部３ａから先端部３ｂにわたり取着されている。この両把持部３の内側樹脂部４は、両把持部３の基端部３ａで互いに一体に連続して両把持部３の先端部３ｂまで延び、両把持部３の外側樹脂部５の内側で両把持部３の基端部３ａから先端部３ｂにわたり露出している。この外側樹脂部５には図１（ｄ）に示すようにこの内側樹脂部４を貫通して連結された複数の補強部５ａが成形されている。前記両刃体２は、刃先６ａを有する刃部６と、両把持部３の先端部３ｂで前記内側樹脂部４に取着された支持部７とからなる。この両刃体２の刃部６は両把持部３の先端部３ｂの外側で互いに重合し、この両刃部６の刃先６ａが相対向している。両把持部３の基端部３ａの付近で両把持部３の内側樹脂部４間には弾性部８が形成されている。両把持部３の先端部３ｂの付近で両把持部３の内側樹脂部４間には案内部９が形成されている。両刃体２は、この案内部９の範囲で、この弾性部８による弾性力により両把持部３とともに互いに開き、この弾性部８による弾性力に抗して両把持部３とともに互いに閉じる。
【００３６】
前記刃体２に取着された内側樹脂部４と、この内側樹脂部４における開閉方向Ｘの両外側に取着された外側樹脂部５とは、互いに性質の異なるものであり、ポリアセタールからなる内側樹脂部４の表面硬度は、オレフィン系熱可塑性エラストマーからなる外側樹脂部５の表面硬度よりも大きく設定されている。
【００３７】
次に、前記両把持部３の外形状の改良点を下記＊の場合に分けて詳述する。
＊　両把持部３の開閉方向Ｘを含む面Ｐ側から見た場合
両把持部３の外側樹脂部５の表面においては、開閉方向Ｘの両外側でその開閉方向Ｘを含む面Ｐに対し直交する幅方向Ｙの把持面１０が形成されている。この把持面１０は、両把持部３の基端部３ａから延びる基端側把持面１１と、両把持部３の先端部３ｂから延びる先端側把持面１２と、この基端側把持面１１と先端側把持面１２との間で延びる中間把持面１３とに区画される。その把持面１０の外形状とは、両把持部３の開閉方向Ｘを含む面Ｐ側から見てその把持面１０が延びる延長線のなす形状を意味し、例えば、把持面１０に多数の滑り止め凹凸部１０ａを形成したり、把持面１０の断面を平坦に形成したり凸形状や凹形状に形成したりしてもよい。
【００３８】
この両把持部３の把持面１０は下記・の特徴（図３，４も参照）を有する。
・　前記基端側把持面１１と中間把持面１３との間の基端側境界部１４と、前記先端側把持面１２と中間把持面１３との間の先端側境界部１５とを結ぶ想定平面Ａよりも、この中間把持面１３を凹ませている。この両把持部３の想定平面Ａ間の間隔ＬＡは、両把持部３の開状態及び閉状態に関係なく常に、両把持部３の基端側境界部１４間から両把持部３の先端側境界部１５間に至るに従い、次第に大きくなっている。
【００３９】
・　前記先端側境界部１５と把持部３の先端部３ｂとを結ぶ想定平面Ｂよりも、前記先端側把持面１２を凹ませている。なお、この先端側把持面１２における凹みは必ずしも必要ではなく、先端側把持面１２を想定平面Ｂ上に形成して平坦な形状にしてもよい。
【００４０】
・　前記両把持部３の想定平面Ｂ間の間隔ＬＢは、両把持部３の開状態及び閉状態に関係なく常に、両把持部３の先端側境界部１５間から両把持部３の先端部３ｂ間に至るに従い、次第に小さくなっている。この両把持部３の先端側境界部１５の端部間における開閉方向Ｘの間隔（前記両把持部３の想定平面Ｂ間の間隔Ｌ１５）は、両把持部３の先端部３ｂの端部間における開閉方向Ｘの間隔（前記両把持部３の想定平面Ｂ間の間隔Ｌ３ｂ）よりも、両把持部３の開状態及び閉状態に関係なく常に、大きく設定されている。なお、この両把持部３の想定平面Ｂ間の間隔ＬＢは、両把持部３の開状態で、両把持部３の想定平面Ｂを互いに平行にして、両把持部３の先端側境界部１５間から両把持部３の先端部３ｂ間に至るまで、同一にしてもよい。
【００４１】
・　前記両把持部３の先端側境界部１５の端部間における開閉方向Ｘの間隔（前記両把持部３の想定平面Ｂ間の間隔）を前述したようにＬ１５とする。前記両把持部３の基端側境界部１４の端部間における開閉方向Ｘの間隔（前記両把持部３の想定平面Ａ間の間隔）をＬ１４とする。前記両把持部３の中間把持面１３間における開閉方向Ｘの間隔（前記両把持部３の想定平面Ａ間の間隔）をＬ１３とする。前記両把持部３の先端側把持面１２間における開閉方向Ｘの間隔（前記両把持部３の想定平面Ｂ間の間隔）をＬ１２とする。前記両把持部３の先端部３ｂの端部間における開閉方向Ｘの間隔（前記両把持部３の想定平面Ｂ間の間隔）をＬ３ｂとする。この間隔Ｌ１５は、これらの間隔Ｌ１４，Ｌ１３，Ｌ１２，Ｌ３ｂよりも、両把持部３の開状態及び閉状態に関係なく常に、大きく設定されている。
【００４２】
・　前記両把持部３の基端側把持面１１間における開閉方向Ｘの最大間隔Ｌ１１を、両把持部３の基端側境界部１４の端部間における開閉方向Ｘの間隔（前記両把持部３の想定平面Ａ間の間隔Ｌ１４）よりも、両把持部３の開状態及び閉状態に関係なく常に、大きく設定して基端側把持面１１を膨らませている。なお、二点鎖線で示すように、両把持部３の開状態で、これらの間隔Ｌ１１，Ｌ１４を互いに等しく設定して基端側把持面１１を平坦な形状にしてもよい。また、前記両把持部３の基端部３ａの端部間における開閉方向Ｘの最大間隔Ｌ３ａよりも、両把持部３の開状態及び閉状態に関係なく常に、この最大間隔Ｌ１１を大きく設定して基端側把持面１１を膨らませている。
【００４３】
・　前記両把持部３の先端側境界部１５における開閉方向Ｘの両端部を通る互いに平行な想定平面をＣとする。前記両把持部３の基端側境界部１４や、両把持部３の中間把持面１３や、両把持部３の先端側把持面１２や、両把持部３の先端部３ｂや、両把持部３の基端側把持面１１は、それぞれ、両把持部３の開状態及び閉状態に関係なく常に、前記想定平面Ｃ間に位置している。
【００４４】
＊　両把持部３の開閉方向Ｘに直交する幅方向Ｙを含む面Ｑ側から見た場合
両把持部３の外側樹脂部５の表面においては、幅方向Ｙの両外側で開閉方向Ｘの側面１６が形成されている。この側面１６は、前記基端側把持面１１を挟む基端側側面１７と、前記先端側把持面１２を挟む先端側側面１８と、この基端側側面１７と先端側側面１８との間で前記中間把持面１３を挟む中間側面１９とに区画される。その側面１６の外形状とは、両把持部３の開閉方向Ｘに対し直交する幅方向Ｙを含む面Ｑ側から見てその側面１６が延びる延長線のなす形状を意味し、側面１６に多数の滑り止め凹凸部を形成したり、側面１６の断面を平坦に形成したり凸形状や凹形状に形成したりしてもよい。
【００４５】
この両把持部３の側面１６は下記・の特徴（図５も参照）を有する。
・　前記基端側側面１７と中間側面１９との間の基端側境界部１４と、前記把持部３の先端部３ｂとを結ぶ想定平面Ｄよりも、この中間側面１９及び先端側側面１８を凹ませている。
【００４６】
・　前記先端側把持面１２における幅方向Ｙの幅寸法Ｗ１２を、前記先端側境界部１５における幅方向Ｙの幅寸法Ｗ１５と等しく設定する。なお、二点鎖線で示すように、この幅寸法Ｗ１２をこの幅寸法Ｗ１５よりも、大きく設定して先端側側面１８を膨らませるか、または小さく設定して先端側側面１８を凹ませてもよい。先端側側面１８を膨らませた場合には、この先端側側面１８上の頂部１８ａと基端側境界部１４とを結ぶ想定平面Ｄよりも、中間側面１９及び先端側側面１８を凹ませる。
【００４７】
・　前記基端側境界部１４における幅方向Ｙの幅寸法Ｗ１４よりも、前記中間把持面１３における幅方向Ｙの幅寸法Ｗ１３と、前記先端側境界部１５における幅方向Ｙの幅寸法Ｗ１５とを小さく設定している。また、この中間把持面１３における幅方向Ｙの幅寸法Ｗ１３を、この先端側境界部１５における幅方向Ｙの幅寸法Ｗ１５よりも、大きく設定して中間把持面１３を膨らませている。なお、二点鎖線で示すように、この幅寸法Ｗ１３をこの幅寸法Ｗ１５よりも小さく設定して中間把持面１３を凹ませるか、またはこの幅寸法Ｗ１３をこの幅寸法Ｗ１５と等しく設定してもよい。
【００４８】
・　前記基端側把持面１１における幅方向Ｙの最大幅寸法Ｗ１１を、前記基端側境界部１４における幅方向Ｙの幅寸法Ｗ１４や、両把持部３の基端部３ａにおける幅方向Ｙの幅寸法Ｗ３ａよりも、大きく設定して基端側把持面１１を膨らませている。なお、二点鎖線で示すように、この幅寸法Ｗ１１をこの幅寸法Ｗ１４と等しく設定してもよい。
【００４９】
・　前記中間側面１９や、先端側境界部１５や、先端側側面１８や、両把持部３の先端部３ｂは、それぞれ、前記基端側境界部１４における幅方向Ｙの両端部を通る互いに平行な想定平面Ｅ間に位置している。
【００５０】
・　前記基端側境界部１４や、中間側面１９や、先端側境界部１５や、先端側側面１８や、両把持部３の先端部３ｂは、それぞれ、前記基端側側面１７における幅方向Ｙの両頂部１７ａを通る互いに平行な想定平面Ｆ間に位置している。
【００５１】
次に、上記握り鋏の使い方の一例について述べる。
図６に示すように、握り柄１の両把持部３を手の平２０で包み込み、親指２１における指先から第一関節までの間の腹側を上側の先端側把持面１２に当てがうとともに、人差し指２２における指先から第一関節までの間の腹側を下側の先端側把持面１２に当てがう。このようにして親指２１と人差し指２２との間で両把持部３の先端側を挟持した状態で、中指２３における第一関節から第二関節までの間の腹側を下側の中間把持面１３に当てがうとともに、中指２３における指先から第一関節までの間の腹側を手の平２０に面して中間把持面１３から中間側面１９に回り込ませる。なお、薬指２４の腹側と小指２５の腹側は、手の平２０に面して基端側把持面１１から基端側側面１７に回り込ませる。このような把持状態で、親指２１と人差し指２２とに力を加えると、両刃体２を両把持部３とともに互いに閉じることができる。また、親指２１及び人差し指２２の力を緩めると、両刃体２を両把持部３とともに互いに開くことができる。
【図面の簡単な説明】
【図１】（ａ）は本実施形態にかかる握り鋏を両把持部の開閉方向を含む面側から見た場合において開状態を示す図であり、（ｂ）はこの握り鋏を両把持部の開閉方向に直交する幅方向を含む面側から見た場合において開状態を示す図であり、（ｃ）はこの握り鋏において握り柄の基端部を示す図であり、（ｄ）は（ａ）のＺ−Ｚ線断面図である。
【図２】（ａ）は上記握り鋏を両把持部の開閉方向を含む面側から見た場合において閉状態を示す図であり、（ｂ）は上記握り鋏の斜視図である。
【図３】図１（ａ）に示す両把持柄の外形状を説明するための図である。
【図４】図２（ａ）に示す両把持柄の外形状を説明するための図である。
【図５】図１（ｂ）に示す両把持柄の外形状を説明するための図である。
【図６】（ａ）は図１（ａ）に示す握り柄を把持した状態の一例を示す図であり、（ｂ）は図１（ｂ）に示す握り柄を把持した状態の一例を示す図である。
【符号の説明】
１…握り柄、２…刃体、３…把持部、３ａ…基端部、３ｂ…先端部、４…内側樹脂部、５…外側樹脂部、１０…把持面、１１…基端側把持面、１２…先端側把持面、１３…中間把持面、１４…基端側境界部、１５…先端側境界部、１６…側面、１７…基端側側面、１８…先端側側面、１８ａ…頂部、１９…中間側面、Ａ，Ｂ，Ｄ…想定平面、Ｐ…面、Ｘ…開閉方向、Ｙ…幅方向、Ｌ１１，Ｌ１２，Ｌ１３，Ｌ１４，Ｌ１５，Ｌ３ａ，Ｌ３ｂ…間隔、Ｗ１１，Ｗ１２，Ｗ１３，Ｗ１４，Ｗ１５，Ｗ３ａ…幅寸法。
【図１】
2004129845.tif 000003
【図２】
2004129845.tif 000004
【図３】
2004129845.tif 000005
【図４】
2004129845.tif 000006
【図５】
2004129845.tif 000007
【図６】
2004129845.tif 000008